(57)【要約】【課題】ラックにユニットを誤って配置するのを防止する。【解決手段】同一の機能、性能を有するユニット３０Ａ〜３０Ｄ，４０Ａ〜４０Ｄのコネクタに対して共通のコネクタ番号ＣＮ１〜ＣＮ３，ＣＮ５〜ＣＮ７を付与し、ユニット３０Ａ〜３０Ｄ，４０Ａ〜４０Ｄをラック１内に収容した後、ユニット３０Ａ〜３０Ｄ，４０Ａ〜４０Ｄに対してユニットの識別番号♯１〜♯８を付与する。【選択図】図１
2009266730.tif 000002
【特許請求の範囲】
【請求項１】
同一の機能、性能を有する複数のユニットのコネクタに対して共通の識別表示を付与し、前記複数のユニットをラック内の所定の位置に配置した後、前記複数のユニットに対して固有の識別表示を付与することを特徴とするコネクタ識別表示付与方法。
【請求項２】
前記識別表示は数字と文字とで構成されることを特徴とする請求項１記載のコネクタ識別表示付与方法。
【請求項３】
直列に電気的に接続された複数のユニットにそれぞれ設けられ、ホストコンピュータから出力される前記複数のユニットにそれぞれ付与された識別表示データを含むデータを受信し、その識別表示と予め各ユニットに格納された識別表示とが一致したとき情報を取り出し、一致しないとき前記データを次のユニットへ予め決められた順番で次々に転送する経路制御手段を備えていることを特徴とするユニット識別装置。
【請求項４】
前記複数のユニットにそれぞれ設けられ、前記ホストコンピュータから出力されたデータ中の識別表示と前記ユニットに格納された識別表示とが一致したとき、その識別表示を表示する表示手段を備えていることを特徴とする請求項３記載のユニット識別装置。
【発明の詳細な説明】
【技術分野】
【０００１】
この発明はコネクタ識別表示付与方法及びユニット識別装置に関する。
【背景技術】
【０００２】
複数のモータを使用した装置では、通常各モータを駆動するために電子機器ユニットや電気基板を組み込んだユニットが必要である。それらのユニットは複数の収納室を有するラックに収容される（下記公報参照）。
【特許文献１】特開２００７−２３４６３１号公報
【発明の開示】
【発明が解決しようとする課題】
【０００３】
近年、ステージを高速化してスループットを向上させるため、同種のモータを軸数を増やして使用し、推力の向上を図ることが行われている。同一性能、機能を有する複数のモータを駆動するユニットはそれぞれ固有のユニット番号を有し、ラック内の所定の位置にそれぞれ配置される。
【０００４】
上記ユニットには上位のコントローラからの指令がケーブルを介して供給される。そのために、ケーブル側のコネクタが接続されるユニット側のコネクタには固有の番号のコネクタがそれぞれ付けられ、ケーブルにもユニット側コネクタに対応したコネクタ番号がそれぞれ付けられている。
【０００５】
したがって、同一機能、性能を有するモータ駆動ユニットであるにもかかわらず、ユニット番号が異なるユニットは異なるユニットとして管理する必要があり、管理が複雑になる。また、複数のユニットのうちのあるユニットを交換する場合、もとのユニットが置かれていた位置に異なるユニット（ユニット番号の異なる同一性能のユニット又は異なる性能のユニット）を誤って配置するおそれもあった。
【０００６】
この発明はこのような事情に鑑みてなされたもので、その課題はラックにユニットを誤って配置するのを防止することである。
【課題を解決するための手段】
【０００７】
上記課題を解決するため請求項１記載の発明は、同一の機能、性能を有する複数のユニットのコネクタに対して共通の識別表示を付与し、前記複数のユニットをラック内の所定の位置に配置した後、前記複数のユニットに対して固有の識別表示を付与することを特徴とする。
【０００８】
請求項２記載の発明は、請求項１記載のコネクタ識別表示付与方法において、前記識別表示は数字と文字とで構成されることを特徴とする。
【０００９】
請求項３記載の発明は、直列に電気的に接続された複数のユニットにそれぞれ設けられ、ホストコンピュータから出力される前記複数のユニットにそれぞれ付与された識別表示データを含むデータを受信し、その識別表示と予め各ユニットに格納された識別表示とが一致したとき情報を取り出し、一致しないとき前記データを次のユニットへ予め決められた順番で次々に転送する経路制御手段を備えていることを特徴とする。
【００１０】
請求項４記載の発明は、請求項３記載のユニット識別装置において、前記複数のユニットにそれぞれ設けられ、前記ホストコンピュータから出力されたデータ中の識別表示と前記ユニットに格納された識別表示とが一致したとき、その識別表示を表示する表示手段を備えていることを特徴とする。
【発明の効果】
【００１１】
この発明によればラックにユニットを誤って配置するのを防止することができる。
【発明を実施するための最良の形態】
【００１２】
以下、この発明の実施の形態を図面に基づいて説明する。
【００１３】
図１はこの発明の第１実施形態に係るコネクタ識別表示付与方法を説明するためのユニットとラックとの関係を説明する図である。
【００１４】
電子機器収容ラック１はラック本体１０と棚２０とを備えている。
【００１５】
ラック本体１０は箱型である。ラック本体１０は直方体状のユニット３０Ａ〜３０Ｄ、４０Ａ〜４０Ｄを収納可能な複数の収納室１１を有する。収納室１１の開口部１２はラック本体１０の正面側に位置する。ラック本体１０内を４つの収容室に仕切る複数の棚２０にユニット３０Ａ〜３０Ｄ、４０Ａ〜４０Ｄのうちの２台ずつがそれぞれ所定の位置に載置される。
【００１６】
電子機器収容ラック１の上側の２つの収納室１１に配置された４つのユニット３０Ａ〜３０Ｄは同一機能、性能を有するユニットである。
【００１７】
ユニット３０Ａ〜３０Ｄの正面にはユニット側コネクタ１３ａ〜１３ｃがそれぞれ設けられている。ユニット側コネクタ１３ａ〜１３ｃは図示しないホストコンピュータに接続される。また、ユニット側コネクタ１３ａ〜１３ｃはユニット３０Ａ〜３０Ｄ内に配置される電子機器ユニット及び電気基板（図示せず）に接続されている。
【００１８】
ユニット３０Ａ〜３０Ｄの正面にはユニット側コネクタ１３ａ〜１３ｃに対応するコネクタ番号（共通の識別表示）ＣＮ１〜ＣＮ３がそれぞれ付けられている。ＣＮ１はユニット側コネクタ１３ａの近傍に位置し、ＣＮ２はユニット側コネクタ１３ｂの近傍に位置し、ＣＮ３はユニット側コネクタ１３ｃの近傍に位置する。
【００１９】
また、電子機器収容ラック１の下側の２つの収納室１１に配置された４つのユニット４０Ａ〜４０Ｄは同一機能、性能を有するユニットである。ユニット４０Ａ〜４０Ｄはユニット３０Ａ〜３０Ｄと機能、性能を異にする。
【００２０】
ユニット４０Ａ〜４０Ｄの正面にはユニット側コネクタ１４ａ〜１４ｃが設けられている。ユニット側コネクタ１４ａ〜１４ｃは図示しないホストコンピュータに接続される。また、ユニット側コネクタ１４ａ〜１４ｃはユニット４０Ａ〜４０Ｄ内に配置される電子機器ユニット及び電気基板（図示せず）に接続されている。
【００２１】
ユニット４０Ａ〜４０Ｄの正面にはユニット側コネクタ１４ａ〜１４ｃに対応するコネクタ番号（共通の識別表示）ＣＮ５〜ＣＮ７がそれぞれ付けられている。ＣＮ５はユニット側コネクタ１４ａの近傍に位置し、ＣＮ６はユニット側コネクタ１４ｂの近傍に位置し、ＣＮ７はユニット側コネクタ１４ｃの近傍に位置する。
【００２２】
次に、コネクタ識別表示付与方法を説明する。
【００２３】
まず、ユニット３０Ａ〜３０Ｄを電子機器収容ラック１の上側の２つの収納室１１に配置する。
【００２４】
次に、ユニット４０Ａ〜４０Ｄを電子機器収容ラック１の下側の２つの収納室１１に配置する。
【００２５】
その後、ユニット３０Ａ〜３０Ｄ及びユニット４０Ａ〜４０Ｄの正面左上に識別番号（固有の識別表示）♯１〜♯８を表示した識別ラベル５０を貼り付ける。このとき、貼付作業を電子機器収容ラック１の上の段から下の段へと順番に行なう。
【００２６】
次に、ユニット側コネクタ１３ａ〜１３ｃ及びユニット側コネクタ１４ａ〜１４ｃにそれぞれ接続されるケーブル（図示せず）に、接続先として識別番号♯１〜♯８とコネクタ番号ＣＮ１〜ＣＮ３，ＣＮ５〜ＣＮ７とを組み合わせた識別番号を固有のコネクタ番号として付す。例えば、ユニット３０Ａに接続される３本のケーブルにはそれぞれ♯１−ＣＮ１、♯１−ＣＮ２、♯１−ＣＮ３という識別番号を付し、ユニット３０Ｂに接続される３本のケーブルにはそれぞれ♯２−ＣＮ１、♯２−ＣＮ２、♯２−ＣＮ３という識別番号を付し、同様にしてユニット４０Ｄに接続される３本のケーブルにはそれぞれ♯８−ＣＮ５、♯８−ＣＮ６、♯８−ＣＮ７とコネクタ番号を付す。
【００２７】
この実施形態によれば、上述のようにユニット３０Ａ〜３０Ｄ，４０Ａ〜４０Ｄのすべてのコネクタ１３ａ〜１３ｃ，１４ａ〜１４ｃにそれぞれ固有のコネクタ識別表示を付与することができるので、ケーブル側コネクタの接続先を間違えて配線してしまう誤配線を防止できるとともに、ユニット３０Ａ〜３０Ｄ（ユニット４０Ａ〜４０Ｄ）を電子機器収容ラック１内に誤って配置するのを防止することができる。また、ユニット３０Ａ〜３０Ｄ及びユニット４０Ａ〜４０Ｄを管理する際、それぞれ１種類のユニットを管理するだけでよいので、管理する手間を削減できるとともに、余分な在庫を減らすことができ、保守に関連するスペース、人件費を削減することができる。
【００２８】
なお、ユニット３０Ａ〜３０Ｄ及びユニット４０Ａ〜４０Ｄの識別ラベル５０に表示される識別番号を♯１〜♯８のように数字と文字とを組み合わせた連続番号としたが、連続番号に代えて各ユニット３０Ａ〜３０Ｄ，ユニット４０Ａ〜４０Ｄに文字だけで構成された名称を表示した識別ラベルを貼り付けるようにしてもよい。
【００２９】
図２はこの発明の第２実施形態に係るユニット識別装置のブロック図である。
【００３０】
ユニット識別装置１０１は直列に接続されたユニット１３０Ａ〜１３０Ｄ、１４０Ａ〜１４０Ｄと、ユニット１３０Ａ，１４０Ｄに接続されたホストコンピュータ６０とを備えている。ユニット１３０Ａ〜１３０Ｄ及びユニット１４０Ａ〜１４０Ｄは第１実施形態と同様に例えばラック（図示せず）の指定された位置に配置される。
【００３１】
ホストコンピュータ６０は、識別番号（例えば♯１〜♯８）のデータとモータ（図示せず）を駆動するためのデータとを含むデータ列（図示せず）をユニット１３０Ａ〜１３０Ｄ、１４０Ａ〜１４０Ｄへ出力する。識別番号データは例えばデータ列のヘッダに入っている。
【００３２】
ユニット１３０Ａ〜１３０Ｄ、１４０Ａ〜１４０Ｄは、データ列の中継、転送を行う経路制御手段として、それぞれデータ列のあて先となる識別番号やデータ列の転送経路などを記憶するテーブル１５０を備えている。例えばユニット１３０Ａからユニット１４０Ｄへ順次転送される経路が表として格納されている。なお、ユニット１３０Ａ〜１３０Ｄ、１４０Ａ〜１４０Ｄにはそれぞれ固有の識別番号（♯１〜♯８）が付与されている。
【００３３】
ユニット１３０Ａ〜１３０Ｄ、１４０Ａ〜１４０Ｄは、ホストコンピュータ６０から出力されたデータ列中の識別番号とユニット側の識別番号とが一致したとき、その識別番号を表示する表示部１６０を有する。
【００３４】
次に、ユニット識別装置の動作を説明する。
【００３５】
例えばホストコンピュータ６０の電源を入れたとき、ホストコンピュータ６０から識別番号（♯１〜♯８）のデータとモータ（図示せず）を駆動するためのデータとを含むデータ列がユニット１３０Ａに送られてくる。
【００３６】
データ列中の識別表示とユニット１３０Ａ側の識別表示とが一致したときパッケットから情報が取り出される。このとき、ユニット１３０Ａの表示部１６０に識別番号（♯１）が表示される。識別表示が一致しないときデータ列は次のユニット１３０Ｂへ転送される。このようにしてデータ列がユニット１３０Ａからユニット１４０Ｄへ順次転送され、最後のユニット１４０Ｄにデータ列が到達したとき、そのことを知らせる着信信号がホストコンピュータ６０へ送られる。
【００３７】
ユニット１３０Ａ〜１３０Ｄ、１４０Ａ〜１４０Ｄのいずれかがラックの指定された位置に配置されていない場合、ホストコンピュータ６０によってエラー（ラックにユニット１３０Ａ〜１３０Ｄ、１４０Ａ〜１４０Ｄが誤って配置されていること）が検出され、ユニットが正しい位置に配置されていないことを容易に知ることができる。
【００３８】
この実施形態によれば、ユニットがラックに誤って配置されるのを第１実施形態より確実に防止することができる。
【図面の簡単な説明】
【００３９】
【図１】図１はこの発明の第１実施形態に係るコネクタ識別表示付与方法を説明するためのユニットとラックとの関係を説明する図である。
【図２】図２はこの発明の第２実施形態に係るユニット識別装置のブロック図である。
【符号の説明】
【００４０】
１３ａ〜１３ｃ，１４ａ〜１４ｃ：コネクタ、３０Ａ〜３０Ｄ，４０Ａ〜４０Ｄ，１３０Ａ〜１３０Ｄ，１４０Ａ〜１４０Ｄ：ユニット、６０：ホストコンピュータ、１５０：テーブル（経路手段）、１６０：表示部（表示手段）、ＣＮ１〜ＣＮ３，ＣＮ５〜ＣＮ７：コネクタ番号（共通の識別表示）、♯１〜♯８：識別番号（固有の識別表示）。
【図１】
2009266730.tif 000003
【図２】
2009266730.tif 000004